(57)【要約】      （修正有）【課題】省スペース性、省労力性、衛生性等を兼ね備えた格納寝具及び／又は格納寝具ソファを提供する。【解決手段】敷きマット３、掛け布団５、枕１１一式を格納箱１に格納し、格納箱１から多大な労力を掛けずに展開装備または格納ができるようにした。寝具の格納時には格納箱１を自立させるため、平面面積を寝具展開時と比較して縮小することにした。格納箱１内部には、ロール巻き取り式の殺菌灯及び温風通風管を設け、寝具格納時にこのロールを下げて、寝具の保温乾燥または寝具内の殺菌を行えるようにした。【選択図】図２
0003204360.tif 000002
【実用新案登録請求の範囲】
【請求項１】
不使用時に各構成部材が格納される格納箱と、該格納箱に設けた専用軸に一端が枢着されて他端を起伏可能にした敷きマット構成部材と、前記専用軸に回転可能に固定され、前記敷きマット構成部材上に一定のスペースを空けて覆い被さるように設けた可動フレーム構成部材と、当該可動フレーム構成部材に毛布等の寝具を着脱可能に取付ける固定具構成部材と、を有することを特徴とする格納寝具及び／又は格納寝具ソファ。
【請求項２】
前記専用軸に回転可能に取付けた枕固定用フレーム構成部材を有することを特徴とする請求項１に記載の格納寝具及び／又は格納寝具ソファ。
【請求項３】
前記専用軸に、前記敷きマット構成部材、前記可動フレーム構成部材及び前記固定具構成部材から成る部分の重量バランスを保持するための重錘を前記水平軸に取付けたことを特徴とする請求項１又は請求項２に記載の格納寝具及び／又は格納寝具ソファ。
【請求項４】
前記可動フレーム構成部材の起伏時の回転速度を一定以下にするために、前記専用軸に開閉減速機構を設けたことを特徴とする請求項１ないし請求項３のいずれかに記載の格納寝具及び／又は格納寝具ソファ。
【請求項５】
前記格納寝具及び／又は格納寝具ソファに装備される巻き取り式乾燥装置であって、前記前記格納箱上部に寝具類を殺菌するための殺菌灯、前記寝具類に温風を送り、該寝具類を乾燥させるための温風乾燥通風管及び温風吐き出し口を有し、前記巻き取り式乾燥装置の最下部には重量バランス用の重錘を備え、前記巻き取り式乾燥装置に温風を送出する乾燥送風機を前記格納箱に設けたことを特徴とする請求項１ないし請求項４のいずれかに記載の格納寝具及び／又は格納寝具ソファ。
【請求項６】
前記格納箱の内部に照明器具を設けたことを特徴とする請求項１ないし請求項５のいずれかに記載の格納寝具及び／又は格納寝具ソファ。
【請求項７】
前記格納箱の下部に引き出し式のダストトレイを設けたことを特徴とする請求項１ないし請求項６のいずれかに記載の格納寝具及び／又は格納寝具ソファ。
【考案の詳細な説明】
【技術分野】
【０００１】本実用新案は、毛布、掛け布団、枕等寝具の格納及び展開装備、寝具の殺菌、保温乾燥が可能な格納寝具及び／又は格納寝具格納寝具ソファに関する。
【背景技術】
【０００２】  従来、図９のように壁１００に空間部１０１を設け、軸１０２によって敷きマット３を起伏自在とし、該敷きマット３が不用の場合には、空間部１０１に格納できるようにした格納ベッドがある。  また、特開２０１６−１８６号の図３に示されているように、可動ベッド柱１側に回転軸金３８を介してベッドパネル６を９０°跳ね上げる形式のものもある。
【先行技術文献】
【特許文献１】特開２０１６−１８６
【０００３】
【考案の概要】
【考案が解決しようとする課題】
【０００４】  昔ながらの押し入れへの寝具の出し入れは、毎日の作業であり、高齢者にとって寝具の折りたたみ、持ち運びは体力的に過酷になっている。また、一人住まいの就労者にとっても毎日の押し入れへの寝具の出し入れは、過度な労力を伴い、それゆえ寝具を敷きっぱなしにすることがしばしばであり、衛生的にも美観的にも好ましくない状況となっている。【０００５】  都心等の住居スペースは地価が高く、居住スペースが狭い部屋での生活を余儀なくされており、この部屋で睡眠を取るには、床にベッドを常時置いて、その上で睡眠を取るのが通例である。しかしながら狭い部屋に常時ベッドを置くことは居住空間を狭くし、生活空間を確保するのが困難となっている。【０００６】  我が国では年々老齢化が進み、介護施設、病院等でのベッドでの生活を余儀なくされている老人、患者数は増加の一途をたどり、これらの人々の介護、看護に携わっている人々の労務は介護者、看護師の不足も加わり、過酷になっている。このことにより敷きマットのシーツ、掛け布団及び毛布カバーの取替えは一週間又は二週間に一度が通常であり、介護されている老人、入院中の患者は暖かくて衛生的な寝具での生活を望んでいる。本考案は、上記の点に鑑みてなされたもので、省スペース性、省労力性、衛生性等を兼ね備えた新規な格納寝具及び／又は格納寝具格納寝具ソファを提供することを目的とする。
【課題を解決しようとする手段】
【０００７】  敷きマット、掛け布団、枕一式を格納箱に格納し、格納箱から敷きマット、掛け布団、枕を多大な労力を掛けずに、かつ毛布及び掛け布団を整然とした形態で展開装備できるようにした。また格納箱へ収納する際にも展開時の作業を逆に行い、容易に行うことができるようにした。このことにより、寝具の収納及び展開装備に伴う労力を大幅に軽減することができるようにした。
【０００８】  寝具の格納時には格納箱を自立させるため、平面面積を寝具展開時と比較して縮小することができ、このことによって従来のようにベッドを常時置いている場合と比較して、居住スペースの拡大を図ることができるようにした。
【０００９】  格納箱内部には、ロール巻き取り式の殺菌灯及び温風通風管を設け、寝具格納時にこのロールを下げて、ロール巻き取り式殺菌灯及び温風通風管の巻き取り軸内部に通風管を設置し、温風送風機から軸内部通風管を結ぶ連結管を通して軸内部通風管、温風通風管へ温風を供給し、温風吐き出し口から寝具に温風を当てることにより寝具の保温乾燥ができるようにした。また、ロール表面に設置した殺菌灯により寝具内の殺菌を行えるようにした。
【考案の効果】
【００１０】  本考案の格納寝具には次のような効果がある。従来の格納家具型ベッドは敷きマットのみの格納であったが、新たに掛け布団、枕一式を格納したため、寝具一式を格納箱に収納することができる。また収納箱は自立することによって平面面積を寝具展開時と比較して縮小することができ、このことによって従来のようにベッドを常時置いている場合と比較して、居住スペースの拡大を図ることができる。
【００１１】  寝具を広げる際には、収納箱から図のように敷きマット、掛け布団、枕を容易に、展開装備することができる。加えて毛布、掛け布団は専用フレーム及び重力を利用して、広げた状態での成形ができ、この状態で敷きマットの上に掛けることができる。また格納箱へ収納する際にも展開時の作業を逆に行うことによって容易にできる。上記により、寝具装備及び格納のための労力を大幅に軽減することができる。
【００１２】  寝具格納時には、巻き取り式殺菌灯、温風通風管を下げて、敷きマット、毛布、掛け布団の殺菌及び温風乾燥が容易にでき、これに伴う労力を大幅に軽減することができる。結果的に、常に寝具の衛生的で快適な環境を確保できる。
【図面の簡単な説明】
【００１３】
【図１】格納寝具の断面図
【図２】格納寝具の斜視図
【図３】格納寝具をソファの背もたれとした場合の断面図
【図４】格納寝具をソファの背もたれとした場合の斜視図
【図５】敷きマット可動部が押す掛け布団専用フレーム可動部器具図
【図６】枕専用フレーム、敷きマット可動部連結図
【図７】掛け布団用専用フレーム断面図
【図８】巻き取り式殺菌灯・温風通風管、温風送風機、殺菌灯電源部斜視図
【図９】既存の格納ベッド図
【考案を実施するための形態】
【００１４】  以下、添付図面を参照して本考案の実施の形態について説明する。
【００１５】  図１は本考案に係る格納寝具の断面図であって、格納箱１内部に折りたたみ足１４を装備した敷きマット台２９、毛布４、及び掛け布団５を布団はさみ又は布団ボタン連結バンド又は布団連結チャック６により連結した掛け布団専用フレームを設置した。
【００１６】  この敷きマット台２９、掛け布団専用フレーム９は、専用軸２に連結されており、専用軸２を中心に敷きマット台２９、掛け布団専用フレーム９の設置方向とは反対方向に敷きマット台２９とバランスを取るための重錘７、掛け布団専用フレームとバランスを取るための重錘７を各々設置した。この重錘７は複数の重錘を設置可能とすると共に、各々の重錘については専用軸２からの距離を移動可能なものとし、微妙なバランス調整を可能なものとした。
【００１７】  格納箱１底部には、箱内部のほこりを容易に清掃可能なものとするため引き出し敷きダストトレイ２０を設置し、このダストトレイ２０を引き出して、掃除機により掃除可能とした。
【００１８】  寝具を展開装備し、人間がこの寝具に横たわった状態で、心の平成を保つため又は読書の時の照明として格納箱１内部に図１に示す照明８を設置した。
【００１９】  図２は図１に示す敷きマット台２９及び掛け布団専用フレーム９を専用軸２中心に回転させ、折りたたみ足１４を敷きマット台２９から引き出して、敷きマット３、毛布４、掛け布団５を展開装備し、加えて専用軸２に連結した枕専用フレーム１２を回転させて、展開装備した状態である。
【００２０】  この寝具内に人間が入る場合、また出る場合には掛け布団専用フレームを人間の手で上げて、敷きマット３と毛布４の間に入ることになるが、この際、人間の体が掛け布団専用フレーム９に当たり怪我をしないよう掛け布団専用フレーム９が敷きマット３に当たる側及びその反対側の人間の上半身が当たる側に防護用クッション１０を設置した。
【００２１】  図３は図１に示した格納寝具をソファの背もたれ部内部に組み入れたものである。  図１に示す敷きマット台２９をソファの背もたれ部とし、このことにより図１に示す折りたたみ足１４は省略することができた。  図４は、この背もたれを専用軸２を中心に回転させて敷きマット３とし、同様に掛け布団専用フレーム９、枕専用フレーム１２を専用軸２を中心に回転させ、寝具を展開装備した状態である。他の装備については、図１、図２に示す装備と同様である。
【００２２】  図５は掛け布団専用フレーム９、敷きマット台２９の断面図である。格納箱開閉時において、力の軽減を図るため、軸に対して寝具据付部と反対側に寝具、フレームに釣り合う重錘７を各々設置し、この重錘については、個数の調整、軸中心からの距離を調整可能として、寝具及びフレーム荷重と釣り合うことができるようにした。加えて、開閉時の速度を一定速度以下に保つため、開閉減速器具１６を設置した。また、敷きマット台２９、掛け布団専用フレーム９が連動して開閉できるよう敷きマットがある角度まで回転したところで敷きマット可動部が掛け布団専用フレーム可動部を押して、動くことができるよう掛け布団可動部に器具１５を設置した。
【００２３】  図６は枕専用フレーム１２、敷きマット台２９の断面図である。枕の格納箱１からの展開装備及び格納については敷きマット台可動部と枕専用フレーム可動部を連結バンド１７により連結することにより、敷きマット台、枕が一体となって動くようにした。またこの連結バンド１７を外すことにより、枕専用フレーム１２は敷きマット台２９とは別に動き、枕が専用フレームにより固定されているため、枕カバーの着脱が簡易になるようにした。
【００２４】  図７は寝具内に人間が横寝した状態を示している。この時、掛け布団専用フレーム９のＨの距離は、人間の腰がフレームに当たらないよう、人間の腰幅に毛布、掛け布団の厚さも含めた距離とした。
【００２５】  図８は巻き取り式殺菌灯、温風通風管１８を含む温風送風機２１、連結管２５、巻き取り軸２８、殺菌灯電源部２６の構成を示したものである。  図１の格納寝具断面図上部にロール巻き取り式の殺菌灯及び温風通風管を設け、寝具格納時にこのロールを下げて、ロール巻き取り式殺菌灯及び温風通風管の巻き取り軸内部に通風管を設置し、温風送風機から軸内部通風管を結ぶ連結管を通して軸内部通風管、温風通風管へ温風を供給し、温風吐き出し口から寝具に温風を当てることにより寝具の保温乾燥ができるようにした。また、ロール表面に設置した殺菌灯により寝具内の殺菌を行えるようにした。このロール下部にはロールが適切に垂直下方向に動くよう巻き取り式殺菌灯・温風通風管用重錘１９を設置した。
【００２６】  図９は従来の壁面に固定し、格納するベッドの構成を示したものである。  この場合は掛け布団、毛布については、別の場所からこのベッドの所に運び、人力で広げて、装備していた。又掛け布団、毛布についての格納についても同様に人力による片付けを伴う。
【符号の説明】
【００２７】１  格納箱２  専用軸３  敷きマット４  毛布５  掛け布団６  布団はさみ又は布団ボタン連結バンド又は布団連結チャック７  重錘８  照明９  掛け布団専用フレーム１０  防護用クッション１１  枕１２  枕専用フレーム１３  ソファ１４  折りたたみ足１５  敷きマット可動部が押す掛け布団専用フレーム可動部器具１６  開閉減速器１７  枕、ベッド用連結バンド１８  巻き取り式殺菌灯、温風通風管１９  巻き取り式殺菌灯、温風通風管用重錘２０  引き出し式ダストトレイ２１  温風送風機２２  殺菌灯２３  温風吹き出し口２４  温風通風管２５  連結管２６  殺菌灯電源部２７  人間２８  巻き取り軸２９  敷きマット台１００  壁１０１  空間部１０２  軸
【図１】
0003204360.tif 000003
【図２】
0003204360.tif 000004
【図３】
0003204360.tif 000005
【図４】
0003204360.tif 000006
【図５】
0003204360.tif 000007
【図６】
0003204360.tif 000008
【図７】
0003204360.tif 000009
【図８】
0003204360.tif 000010
【図９】
0003204360.tif 000011
【手続補正書】
【提出日】平成28年3月8日(2016.3.8)
【手続補正１】
【補正対象書類名】実用新案登録請求の範囲
【補正対象項目名】全文
【補正方法】変更
【補正の内容】
【実用新案登録請求の範囲】
【請求項１】
不使用時に各構成部材が格納される格納箱と、
該格納箱に設けた専用軸に一端が枢着されて他端を起伏可能にした敷きマット構成部材と、
前記専用軸に回転可能に固定され、前記敷きマット構成部材上に一定のスペースを空けて覆い被さるように設けた可動フレーム構成部材と、
当該可動フレーム構成部材に毛布等の寝具を着脱可能に取付ける固定具構成部材と、
を有することを特徴とする格納寝具及び／又は格納寝具ソファ。
【請求項２】
前記専用軸に回転可能に取付けた枕固定用フレーム構成部材を有することを特徴とする請求項１に記載の格納寝具及び／又は格納寝具ソファ。
【請求項３】
前記専用軸に、前記敷きマット構成部材、前記可動フレーム構成部材及び前記固定具構成部材から成る部分の重量バランスを保持するための重錘を前記専用軸に取付けたことを特徴とする請求項１又は請求項２に記載の格納寝具及び／又は格納寝具ソファ。
【請求項４】
前記可動フレーム構成部材の起伏時の回転速度を一定以下にするために、前記専用軸に開閉減速機構を設けたことを特徴とする請求項１ないし請求項３のいずれかに記載の格納寝具及び／又は格納寝具ソファ。
【請求項５】
前記格納寝具及び／又は格納寝具ソファに装備される巻き取り式乾燥装置であって、前記前記格納箱上部に寝具類を殺菌するための殺菌灯、前記寝具類に温風を送り、該寝具類を乾燥させるための温風乾燥通風管及び温風吐き出し口を有し、前記巻き取り式乾燥装置の最下部には前記巻き取り式乾燥装置を適正位置に降下させるための重錘を備え、前記巻き取り式乾燥装置に温風を送出する乾燥送風機を前記格納箱に設けたことを特徴とする請求項１ないし請求項４のいずれかに記載の格納寝具及び／又は格納寝具ソファ。
【請求項６】
前記格納箱の内部に照明器具を設けたことを特徴とする請求項１ないし請求項５のいずれかに記載の格納寝具及び／又は格納寝具ソファ。
【請求項７】
前記格納箱の下部に引き出し式のダストトレイを設けたことを特徴とする請求項１ないし請求項６のいずれかに記載の格納寝具及び／又は格納寝具ソファ。
【手続補正２】
【補正対象書類名】明細書
【補正対象項目名】００１０
【補正方法】変更
【補正の内容】
【００１０】  本考案の格納寝具には次のような効果がある。
従来の格納家具型ベッドは敷きマットのみの格納であったが、新たに毛布、掛け布団、枕一式を格納したため、寝具一式を格納箱に収納することができる。また収納箱は自立することによって平面面積を寝具展開時と比較して縮小することができ、このことによって従来のようにベッドを常時置いている場合と比較して、居住スペースの拡大を図ることができる。
【手続補正３】
【補正対象書類名】明細書
【補正対象項目名】００１１
【補正方法】変更
【補正の内容】
【００１１】  寝具を広げる際には、収納箱から図２のように敷きマット、毛布、掛け布団、枕を容易に、展開装備することができる。加えて毛布、掛け布団は専用フレーム及び重力を利用して、広げた状態での成形ができ、この状態で敷きマットの上に掛けることができる。また格納箱へ収納する際にも展開時の作業を逆に行うことによって容易にできる。上記により、寝具装備及び格納のための労力を大幅に軽減することができる。
【手続補正４】
【補正対象書類名】明細書
【補正対象項目名】００１８
【補正方法】変更
【補正の内容】
【００１８】  寝具を展開装備し、人間がこの寝具に横たわった状態で、心の平静を保っため又は読書の時の照明として格納箱１内部に図１に示す照明８を設置した。